(57)【要約】      （修正有）【課題】実用性および便利性を増加するキーボード補助照明構造を提供する。【解決手段】キーボード補助照明構造は、キーボード本体１０、開閉手段２０および少なくとも一つの発光素子３０を含む。該キーボード本体上に複数の押ボタン１１が設けられ並びに収容空間１２が凹設され、該開閉手段２０は、該キーボード本体１０に凹設された収容空間内に可動可能に結合し、該少なくとも一つの発光素子３０は、該開閉手段上に設けられることによって、少なくとも一つの発光素子３０が配置された開閉手段２０が、該キーボード本体１０に凹設された収納空間１２に可動的に開閉されるようになり、キーボード補助照明やキーボード周囲の照明、使用便利、空間節約、携帯便利および発光素子を隠蔽できるものを提供する。【選択図】図１
0003140661.tif 000002
【実用新案登録請求の範囲】
【請求項１】
複数の押ボタンが設けられ、収容空間が凹設されたキーボード本体と、
前記キーボード本体に凹設された収容空間内に可動可能に結合された開閉手段と、
前記開閉手段上に設けられた少なくとも一つの発光素子とを含み、
少なくとも一つの発光素子が配置された開閉手段が、前記キーボード本体に凹設された収納空間を可動的に開閉可能であり、前記発光素子により前記キーボード本体を照明可能に構成した、
キーボード補助照明構造。
【請求項２】
前記開閉手段は可動台座および弾性押圧ユニットを設けており、前記可動台座と前記弾性押圧ユニットとが互いに可動的に係合し、前記少なくとも一つの発光素子が前記開閉手段の可動台座内に設けられ、前記弾性押圧ユニットを押圧し前記可動台座を連動して開くことによって、前記少なくとも一つの発光素子がキーボード本体を照明可能であり、前記可動台座を押圧して閉じることを特徴とする請求項１に記載のキーボード補助照明構造。
【請求項３】
前記可動台座は、ベース、ねじりばね、かぎ状ブロックおよび台座ばねを含み、前記ねじりばねが前記ベースの一端に設けられ、前記台座ばねが前記ベース内に設けられ、前記かぎ状ブロックの一端が前記台座ばねに固定され、前記かぎ状ブロックの他の一端が前記ベースから突出し、前記かぎ状ブロックの一側に斜面部が形成され、前記弾性押圧ユニットは、押圧部、曲折型押出レバーおよび押圧ユニットばねを含み、前記押圧ユニットばねが前記キーボード本体の内部底側の凹溝内に設けられ、前記曲折型押出レバーの底端が押圧ユニットばねと当接し、前記曲折型押出レバーの上端が前記押圧部と互いに結合し、曲折型押出レバーの一側に傾斜型押出部が形成され、前記傾斜型押出部が前記かぎ状ブロックの一側に形成した斜面部と対応して当接し、前記可動台座と前記弾性押圧ユニットとの間のキーボード本体が、係合ブロックを形成し、可動台座のかぎ状ブロックに可動的に係合され、前記可動台座の開閉を行えることを特徴とする請求項２に記載のキーボード補助照明構造。
【請求項４】
前記開閉手段は、押圧スイッチであり、前記少なくとも一つの発光素子が前記押圧スイッチ内の一側に設けられ、前記押圧スイッチを押して前記少なくとも一つの発光素子を連動して昇降し、キーボード本体を照明可能であることを特徴とする請求項１に記載のキーボード補助照明構造。
【請求項５】
前記発光素子はＬＥＤであることを特徴とする請求項１、２または４に記載のキーボード補助照明構造。
【請求項６】
前記発光素子はランプであることを特徴とする請求項１、２または４に記載のキーボード補助照明構造。
【考案の詳細な説明】
【技術分野】
【０００１】
本考案は、キーボード補助照明構造に係り、特に、キーボード本体、開閉手段および少なくとも一つの発光素子の組合設計により、キーボード補助照明やキーボード周囲の照明、使用便利、空間節約、携帯便利および発光素子を隠蔽するなどの効果を有し、様々なキーボードや、ノートパソコンなどの補助照明或は類似構造に適用するものである。
【背景技術】
【０００２】
現在、伝統的な様々なキーボードは、主に、キーボード本体上に入力するための複数の押ボタンが設けられ、例えば、使用環境において光線が足りない時に、周辺に照明ランプを設置し光源とするが、該照明ランプは光源とし照明の効果を達することができるが、該照明ランプは別に購入し並びにキーボードの周辺に設置する必要があるため、使用上とても不便である。
しかも、より多いスペースが取られ、該照明ランプは通常場合に使用された後も隠蔽できなく、使用環境に固定的に置かれるようになり、携帯上とても不便になるため、実際の使用上に依然使用者の要求に合っていない。
【考案の開示】
【考案が解決しようとする課題】
【０００３】
本考案の主な目的は、キーボード本体、開閉手段および少なくとも一つの発光素子の組合設計により、少なくとも一つの発光素子が配置された開閉手段を該キーボード本体に凹設された収納空間内に可動的に開閉させ、該開閉手段が可動台座および弾性押圧ユニットを設け、該可動台座と該弾性押圧ユニットとが互いに可動的に係合し、該少なくとも一つの発光素子が該開閉手段の可動台座内に設けられ、該弾性押圧ユニットを押圧し該可動台座を連動して開くことによって、該少なくとも一つの発光素子がキーボード補助照明を提供できるようにし、また、該可動台座を押圧して閉るようになり、キーボード補助照明およびキーボード周囲の照明を提供できる効果を有し、本考案の実用性および便利性を増加するキーボード補助照明構造を提供することにある。
【０００４】
本考案の次の目的は、キーボード本体、開閉手段および少なくとも一つの発光素子の組合設計により、空間節約、携帯便利および発光素子を隠蔽するなどの効果を有し、本考案の実用性および便利性を増加するキーボード補助照明構造を提供することにある。
【課題を解決するための手段】
【０００５】
前記目的を達成するために、本考案は、キーボード本体、開閉手段および少なくとも一つの発光素子を含む。前記キーボード本体上に複数の押ボタンが設けられると共に収容空間が凹設され、前記開閉手段は、前記キーボード本体に凹設された収容空間に可動可能に結合し、前記少なくとも一つの発光素子は、前記開閉手段上に設けられることによって、少なくとも一つの発光素子が配置された開閉手段が、前記キーボード本体に凹設された収納空間に可動的に開閉できるようになり、キーボード補助照明やキーボード周囲の照明、使用便利、空間節約、携帯便利および発光素子を隠蔽できるものを提供する。
【０００６】
本考案の他の特徴及び具体的な実施例は、後続の詳しく説明及び図示よりさらに了解できる。
【考案を実施するための最良の形態】
【０００７】
図１〜図５に示すように、本考案に係るキーボード補助照明構造は、キーボード本体１０、開閉手段２０および少なくとも一つの発光素子３０を含む。
【０００８】
該キーボード本体１０上に複数の押ボタン１１が設けられ並びに収容空間１２が凹設される。
【０００９】
該開閉手段２０は、該キーボード本体１０に凹設された収容空間１２に可動的に結合される。
【００１０】
該少なくとも一つの発光素子３０（該発光素子３０はＬＥＤ、ランプ、または他の発光素子であり）は、該開閉手段２０上に設けられる。
【００１１】
そのうち、該開閉手段２０が可動台座２１および弾性押圧ユニット２２を設けており、該可動台座２１と該弾性押圧ユニット２２とが互いに可動的に係合し、該少なくとも一つの発光素子３０が該開閉手段２０の可動台座２１内に設けられ、該弾性押圧ユニット２２を押圧し該可動台座２１を連動して開くことによって、該少なくとも一つの発光素子３０がキーボード補助照明を提供できる。
また、該可動台座２１を押圧して閉るようになり、該可動台座２１は、ベース２１１、ねじりばね２１２、かぎ状ブロック２１３およびばね２１４を含み、該ねじりばね２１２が該ベース２１１の一端に設けられ、該ばね２１４が該ベース２１１内に限られて設けられ、該かぎ状ブロック２１３の一端が該ばね２１４に固定的に結合し、該かぎ状ブロック２１３の他の一端が該ベース２１１から突出し、該かぎ状ブロック２１３の一側に斜面部２１５が形成され、該弾性押圧ユニット２２は、押圧部２２１、曲折型押出レバー２２２およびばね２２３を含み、該ばね２２３が該キーボード本体１０内部底側の凹溝内に設けられ、該曲折型押出レバー２２２の底端がばね２２３と当接し、該曲折型押出レバー２２２の上端が該押圧部２２１と互いに結合し、かつ、曲折型押出レバー２２２の一側に傾斜型押出部２２４が形成され、該傾斜型押出部２２４が該かぎ状ブロック２１３の一側に形成した斜面部２１５と対応して当接する。
また、該可動台座２１と該弾性押圧ユニット２２との間のキーボード本体１０が、係合ブロック１３を形成し、可動台座２１のかぎ状ブロック２１３に可動的に係合され、該可動台座２１の開閉を行える。（そのうち、該開閉手段２０は、押圧スイッチ（図示せず）であり、該少なくとも一つの発光素子３０が該押圧スイッチ内の一側に設けられ、該押圧スイッチを押して該少なくとも一つの発光素子３０を連動して昇降し、キーボード補助照明を行える。）
【００１２】
図１〜図５に示すように、本考案に係るキーボード補助照明構造の特徴は、キーボード本体１０、開閉手段２０および少なくとも一つの発光素子３０の組合設計により、少なくとも一つの発光素子３０が配置された開閉手段２０を該キーボード本体１０に凹設された収納空間１２内に可動的に開閉させ、該開閉手段２０が可動台座２１および弾性押圧ユニット２２を設け、該可動台座２１と該弾性押圧ユニット２２とが互いに可動的に係合し、該少なくとも一つの発光素子３０が該開閉手段２０の可動台座２１内に設けられ、該弾性押圧ユニット２２を押圧し該可動台座２１を連動して開くことによって、該少なくとも一つの発光素子３０がキーボード補助照明を提供できることにある。
また、該可動台座２１を押圧して閉じるようになり、本考案がキーボード補助照明やキーボード周囲の照明、空間節約、携帯便利および発光素子を隠蔽する効果を有し、本考案の実用性および便利性を増加することにある。
【００１３】
図１〜図６に示すように、本考案は一般のキーボード（またはノートパソコン４０）に使用される時に、該開閉手段２０の押圧部２２１を押すことだけで、該曲折型押出レバー２２２の底端を連動してばね２２３に当接し下へ押圧し、曲折型押出レバー２２２の一側に形成された傾斜型押出部２２４によりかぎ状ブロック２１３の一側に形成した斜面部２１５と対応して当接し側方向へ押し出して、可動台座２１のかぎ状ブロック２１３がキーボード本体１０の係合ブロック１３から離脱する。この時に、可動台座２１のねじりばね２１２の弾性回復力により、該少なくとも一つの発光素子３０が配設された可動台座２１をキーボード本体１０から外へねじ回して、キーボード補助照明およびキーボード周囲の照明を提供し、使用しない時に、該開閉手段２０の可動台座２１を押すことだけで、該該開閉手段２０が少なくとも一つの発光素子３０を連動してキーボード本体１０内にねじ回し、可動台座２１のかぎ状ブロック２１３が再びキーボード本体１０の係合ブロック１３に係合し、該少なくとも一つの発光素子３０がキーボード本体１０内に隠蔽される。
よって、本考案は、キーボード補助照明およびキーボード周囲の照明、空間節約、携帯便利および発光素子を隠蔽する効果を有し、本考案の実用性および便利性を増加する。
【００１４】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１５】
【図１】本考案の第１実施例を示す外観斜視図である。
【図２】本考案の第１実施例の閉合状態を示す断面図である。
【図３】本考案の第１実施例の押圧状態を示す断面図である。
【図４】本考案の第１実施例の開き状態を示す断面図である。
【図５】本考案の第１実施例の閉合状態を示す外観斜視図である。
【図６】本考案の第２の実施例の使用状態を示す図である。
【符号の説明】
【００１６】
１０    キーボード本体
２０    開閉手段
３０    発光素子
４０    ノートパソコン
１１    押ボタン
１２    収容空間
１３    ブロック
２１    可動台座
２２    弾性押圧ユニット
２１１  ベース
２１２  ねじりばね
２１３  かぎ状ブロック
２１４  ばね
２１５  斜面部
２２１  押圧部
２２２  曲折型押出レバー
２２３  ばね
２２４  傾斜型押出部
【図１】
0003140661.tif 000003
【図２】
0003140661.tif 000004
【図３】
0003140661.tif 000005
【図４】
0003140661.tif 000006
【図５】
0003140661.tif 000007
【図６】
0003140661.tif 000008